(57)【要約】      （修正有）【課題】本発明は、タンク室の内部に発熱剤を配置してなるガス発生器において、ガス発生器自体の構成の簡素化を図る。【解決手段】ガス発生器１Ａの構成は、長尺筒状のハウジングの内部に配置された圧縮ガスが封入されたタンク室Ｓ２と、ハウジングの一端部に組付けられた点火器２２と、ハウジングの内部には圧縮ガスを封入するためにハウジングの途中を仕切るための仕切り部４０と、ハウジングの内部の空間であって、かつ仕切り部から見て一方端部側の空間が、点火器に面する点火室Ｓ１として構成され、他端側の空間が、タンク室として構成され、仕切り部には、点火室とタンク室とを連通させるための連通孔がハウジングの軸方向に設けられ、連通孔を閉鎖するとともに点火器の作動に起因して開裂が可能な第１破裂板４２が仕切り部の一方端側の主面に溶接され、タンク室の内部の圧縮ガスが封入された空間に発熱剤がハウジングの周壁部６０に配置されている。【選択図】図１
2020203498.tif 000002
【特許請求の範囲】
【請求項１】
軸方向の一端部および他端部が閉塞された周壁部を有する長尺筒状のハウジングと、
前記ハウジングの内部に配置された圧縮ガスが封入されたタンク室と、
前記ハウジングの前記一端部に組付けられた点火器とを備え、
前記ハウジングの内部には、前記圧縮ガスを封入するために前記ハウジングの途中を仕切るように設けられた前記ハウジングの内部の空間を仕切る仕切り部とを含み、
前記ハウジングの内部の空間であって、かつ前記仕切り部から見て前記一方端部側の空間が、前記点火器に面する点火室として構成され、
前記ハウジングの内部の空間であって、かつ前記仕切り部から見て前記他端側の空間が、前記タンク室として構成され、
前記仕切り部には、前記点火室と前記タンク室とを連通させるための連通孔が前記ハウジングの軸方向に設けられ、前記連通孔を閉鎖するとともに、前記点火器の作動に起因して開裂が可能な第１破裂板が設けられ、
前記第１破裂板が、前記仕切り部の前記一方端側の主面に溶接され、
前記タンク室の内部の圧縮ガスが封入された空間に発熱剤を備え、
前記発熱剤が前記ハウジングの前記周壁部に配置されている、ガス発生器。
【請求項２】
軸方向の一端部および他端部が閉塞された周壁部を有する長尺筒状のハウジングと、
前記ハウジングの内部に配置された圧縮ガスが封入されたタンク室と、
前記ハウジングの前記一端部に組付けられた点火器と
前記ハウジングの前記他端部に組み付けられた、ガス流路部としての中空部が形成された一端が閉塞された筒状形状のノズル部を備え、
前記ハウジングの内部には、前記圧縮ガスを封入するために前記ハウジングの途中を仕切るように設けられた前記ハウジングの内部の空間を仕切る仕切り部とを含み、
前記ハウジングの内部の空間であって、かつ前記仕切り部から見て前記一方端部側の空間が、前記点火器に面する点火室として構成され、
前記ハウジングの内部の空間であって、かつ前記仕切り部から見て前記他端側の空間が、前記タンク室として構成され、
前記仕切り部には、前記点火室と前記タンク室とを連通させるための連通孔が前記ハウジングの軸方向に設けられ、前記連通孔を閉鎖するとともに、前記点火器の作動に起因して開裂が可能な第１破裂板が設けられ、
前記第１破裂板が、前記仕切り部の前記一方端側の主面に溶接され、
前記ノズル部には、前記中空部と前記タンク室とを連通させるための連通孔が前記ハウジングの軸方向に設けられ、前記連通孔を閉鎖するとともに、前記点火器の作動に起因して開裂が可能な第２破裂板が設けられ、
前記タンク室の内部の圧縮ガスが封入された空間に発熱剤を備え、
前記発熱剤は第１破裂板又は第２破裂板に隣接して配置されている、ガス発生器。
【請求項３】
前記タンク室の周壁部が凹凸形状である、請求項１又は請求項２に記載のガス発生器。
【請求項４】
前記発熱剤の発火温度が１５０℃以上５００℃以下である、請求項１〜３のいずれか一項に記載のガス発生器。
【請求項５】
前記発熱剤が前記タンク室にエアスプレーまたは浸漬によって塗布されている、請求項１〜４のいずれか一項に記載のガス発生器。
【請求項６】
前記タンク室の圧縮ガスの充填圧が４０ＭＰa以上１００ＭＰａ以下である、請求項１〜５のいずれか一項に記載のガス発生器。
【請求項７】
前記第１破裂板又は第２破裂板が、前記仕切り部又は前記ノズル部にレーザー溶接、摩擦圧接、抵抗溶接によって溶接されている、請求項１〜５のいずれか一項に記載のガス発生器。
【発明の詳細な説明】
【技術分野】
【０００１】
本発明は、ハウジングの内部に設けられたタンク室に配置された発熱剤が、点火器が作動することで着火し、外部に向けて噴出するように構成されたガス発生器に関する。
【背景技術】
【０００２】
自動車等の乗員保護装置であるエアバッグ装置に組み込まれるガス発生器は、車両等衝突時に車両に別途設けられたコントロールユニットからの通電によって点火器が着火し、これに起因して瞬時に多量のガスが外部に向けて放出されるように構成されたものであり、これによってエアバッグを膨張および展開させる。当該ガス発生器は、そのガスの放出メカニズムに基づき、パイロ型ガス発生器と、ストアード型ガス発生器と、ハイブリッド型ガス発生器とに大別される。
【０００３】
パイロ型ガス発生器は、ガス発生剤がハウジングの内部に収容されてなるものであり、ガス発生剤が点火器の作動によって着火されて燃焼し、これによって多量のガスが発生させられて外部に放出されるものである。
【０００４】
ストアード型ガス発生器は、圧縮ガスがハウジングの内部に封入されてなるものであり、圧縮ガスを封止する破裂板が点火器の作動によって開裂し、これによって圧縮ガスが外部に放出されるものである。
【０００５】
ハイブリッド型ガス発生器は、圧縮ガスがハウジングの内部に封入されるとともに、さらに発熱剤がハウジングの内部に収容されてなるものであり、圧縮ガスを封止する破裂板が点火器の作動によって開裂するとともに、発熱剤が点火器の作動によって着火されて燃焼し、これにより圧縮ガスが断熱膨張することで発生し得るエネルギーロスを当該発熱剤が燃焼することで生じる熱によって補いつつ、圧縮ガスが外部に放出されるように構成されたものである。
【０００６】
ここで、上述した各種のガス発生器のうち、ストアード型ガス発生器の具体的な構造が開示された文献としては、たとえば特開２００３−１８２５０６号公報（特許文献１）等があり、ハイブリッド型ガス発生器の具体的な構造が開示された文献としては、たとえば特開２００９−５１２３６号公報（特許文献２）や特開２０１６−６８６５８号公報（特許文献３）等がある。
【０００７】
このうち、上記特許文献１に開示のストアード型ガス発生器および上記特許文献２に開示のハイブリッド型ガス発生器は、一般にブローダウン構造と称される構造のものであり、圧縮ガスが封入されたタンク室と点火器が収容された点火室とを仕切る仕切り部に連通孔が設けられるとともに、タンク室を規定する部分のハウジングにガス噴出口が設けられてなるものである。当該ブローダウン構造のストアード型ガス発生器およびハイブリッド型ガス発生器においては、連通孔およびガス噴出口がいずれもタンク室に面するように設けられているため、上述した破裂板は、これら連通孔およびガス噴出口をそれぞれ個別に閉鎖するように一対設けられる。
【０００８】
一方、上記特許文献３に開示のハイブリッド型ガス発生器は、一般にリバースフロー構造と称される構造のものであり、圧縮ガスが封入されたタンク室と点火器が収容された点火室とを仕切る仕切り部に連通孔が設けられるとともに、点火室を規定する部分のハウジングにガス噴出口が設けられてなるものである。当該リバースフロー構造のハイブリッド型ガス発生器においては、連通孔およびガス噴出口のうちの連通孔のみがタンク室に面するように設けられているため、上述した破裂板は、この連通孔を閉鎖するように設けられ、ガス噴出口は、点火室を外部から気密に封止する封止部材によって閉鎖されるのみである。
【０００９】
上述したハイブリッド型ガス発生器においては、ハウジングの内部に発熱剤を配置することで、熱の膨張を利用して、ストアード型ガス発生器よりも小型軽量が可能である。発熱剤を配置する位置として、点火室または燃焼室が知られているが、加圧室に発熱剤を配置している構造としては、たとえば特開２０１８−１７７１７０号公報（特許文献４）に開示の構造が知られている。
【００１０】
当該特許文献４に開示の発明によれば、発熱剤はハウジング内で高圧力状態が形成された加圧領域に配置されている。加圧領域の圧力は０．２ＭＰａ〜２．０ＭＰaであり、内部にはアルゴンやヘリウム等の不活性ガスが充填されている。加圧領域は点火器の作動前において気密状態を維持し、点火器の作動により発生する発熱剤からの燃焼ガスによってシール部材が開裂する領域を有する。
【先行技術文献】
【特許文献】
【００１１】
【特許文献１】特開２００３−１８２５０６号公報
【特許文献２】特開２００９−０５１２３６号公報
【特許文献３】特開２０１６−０６８６５８号公報
【特許文献４】特開２０１８−１７７１７０号公報
【発明の概要】
【発明が解決しようとする課題】
【００１２】
しかしながら、上記特許文献４に開示される如くの発熱剤を加圧領域に配置する場合には、発熱剤は圧力依存するため、高圧力下で発熱剤が燃焼すると、燃焼速度が異常に速くなり、ハウジングが内圧に耐えきれず、破裂する恐れがある。解決方法として、発熱剤の配置量を減らすことで内圧の制御は可能であるが、発熱剤の配置量は加圧領域の体積に依存するため、配置量を調整することは困難であった。さらに、ガス発生器を小型軽量しつつ、所望のガス圧を達成するには、加圧領域の充填圧を高めていく方法や点火室の発熱剤の配置量を増やす方法がある。しかし、加圧領域の充填圧を高めるとハウジングの板厚が厚くなることや、成形体の発熱剤の配置量と比例して、点火室は大きくなることで、小型軽量なガス発生器は困難であった。このため、ガス発生器自体の構成の複雑化、部品点数の増加、組立作業の煩雑化等を招来し、結果として製造コストが増大してしまう問題があった。
【００１３】
したがって、本発明は、上述した問題に鑑みてなされたものであり、タンク室の内部に発熱剤を配置してなるガス発生器において、ガス発生器自体の構成の簡素化を図ることを目的とする。
【課題を解決するための手段】
【００１４】
本発明に基づくガス発生器の構成は、軸方向の一端部および他端部が閉塞された周壁部を有する長尺筒状のハウジングと、ハウジングの内部に配置された圧縮ガスが封入されたタンク室と、ハウジングの前記一端部に組付けられた点火器とを備え、ハウジングの内部には、圧縮ガスを封入するためにハウジングの途中を仕切るように設けられたハウジングの内部の空間を仕切る仕切り部とを含み、ハウジングの内部の空間であって、かつ仕切り部から見て一方端部側の空間が、点火器に面する点火室として構成され、ハウジングの内部の空間であって、かつ仕切り部から見て他端側の空間が、タンク室として構成され、仕切り部には、点火室とタンク室とを連通させるための連通孔がハウジングの軸方向に設けられ、連通孔を閉鎖するとともに、点火器の作動に起因して開裂が可能な第１破裂板が設けられ、破裂板が、仕切り部の一方端側の主面に溶接され、タンク室の内部の圧縮ガスが封入された空間に発熱剤を備え、発熱剤がハウジングの周壁部に配置されているガス発生器である。
【００１５】
ここで、上述したハウジングには、ガス発生器を構成する各種の部材のうち、ガス発生器の骨格を成す各種の壁部を構成する部材が含まれ、より特定的には、圧力隔壁として機能する部位のすべてが含まれる。すなわち、上述したハウジングには、ガス発生器の外殻を構成する部材または部位のみならず、当該ガス発生器の内部の空間を仕切る部材または部位も含まれる。
【００１６】
本発明に基づくガス発生器は、圧縮ガスが封入されたタンク室が内部に設けられてなるハウジングと、上記ハウジングに組付けられた点火器とを備えている。上記ハウジングは、軸方向の一方端を少なくとも開口端として有する筒状部材と、上記筒状部材の上記一方端から奥まった位置に配置されることで上記筒状部材の内部の空間を仕切る仕切り部とを含んでいる。上記ハウジングの内部の空間であってかつ上記仕切り部から見て上記一方端側の空間は、上記点火器に面する点火室として構成されている。また、ハウジングの他端部に組み付けられた、ガス流路部としての中空部が形成された一端が閉塞された筒状形状のノズル部が設けられている。上記ハウジングの内部の空間であってかつ上記仕切り部から見て上記一方端側とは反対側の空間は、上記タンク室として構成されている。上記仕切り部には、上記点火室と上記タンク室とを連通させるための連通孔が上記筒状部材の軸方向を向くように設けられている。上記仕切り部には、上記連通孔を閉鎖するとともに、上記点火器の作動に起因して開裂が可能な破裂板が設けられており、上記破裂板は、上記仕切り部の上記一方端側の主面に溶接され、ノズル部には、中空部とタンク室とを連通させるための連通孔がハウジングの軸方向に設けられ、連通孔を閉鎖するとともに、点火器の作動に起因して開裂が可能な第２破裂板が設けられている。また、タンク室の内部の圧縮ガスが封入された空間に発熱剤を備え、発熱剤は第１破裂板又は第２破裂板に隣接して配置されているガス発生器である。
【００１７】
上記本発明に基づくガス発生器の構成にあっては、発熱剤は筒状部材の内周壁部、第１破裂板又は第２破裂板に配置されている。成形体の発熱剤をタンク室へ密充填すると、圧力依存が高い発熱剤は燃焼速度が異常に速くなり、ハウジングは内部圧力に耐えられない可能性がある。反対に、成形体の発熱剤をタンク室へ粗充填すると、自動車の振動により、発熱剤は粉砕され、表面積が著しく増大した粉状の発熱剤により、燃焼速度が異常に速くなることで、燃焼を制御できない問題がある。したがって、タンク室の周壁部、第１破裂板又は第２破裂板に発熱剤を配置することで、発熱剤の配置量を調整しつつ、振動による発熱剤の粉砕の恐れがない。
【００１８】
好適には、上記本発明に基づくガス発生器の構成にあっては、筒状部材のタンク室の周壁部は凹凸形状９３が施されている。凹凸形状９３の溝部に発熱剤が入り込むことで、タンク室の周壁部への発熱剤の配置量を増やしつつ、発熱剤と周壁部との接触面積が増加することで、発熱剤が周壁部と密着し、剥がれ落ちる状態を抑制することができる。
【００１９】
好適には、上記本発明に基づくガス発生器の構成にあっては、発熱剤の発火温度が１５０℃以上５００℃以下である。ハウジングは金属で構成されており、車両火災等の外部からの熱の影響により、金属材料のせん断強度は低下する。せん断強度が低下する前に発熱剤が自動着火し、車両火災による異常な燃焼速度を回避することができる。
【００２０】
好適には、上記本発明に基づくガス発生器の構成にあっては、発熱剤をタンク室の周壁部に配置する手法として、バルク塗布、スプレー塗布、紛体塗布を用いる。発熱剤を塗布する方法は汎用的に用いられる塗布方法が採用される。より好ましくは、エアスプレーによる塗布や浸漬で付着した部位に発熱剤を塗布する方法を用いる。
【００２１】
好適には、上記本発明に基づくガス発生器の構成にあっては、タンク室の圧縮ガスの充填圧は４０ＭＰa以上１００ＭＰａ以下である。高圧力下では成形体の発熱剤は異常な燃焼速度になる。タンク室の周壁面に塗布することで、充填圧が４０ＭＰa以上であっても、燃焼を制御できる。
【００２２】
好適には、上記本発明に基づくガス発生器の構成にあっては、第１破裂板又は第２破裂板は仕切り部にレーザー溶接、摩擦圧接、抵抗溶接によって固定されている。なお、抵抗溶接はプロジェクション溶接とスポット溶接であることが好ましい。上記構成により、容易に仕切り部に破裂板を設けることができる。
【発明の効果】
【００２３】
本発明によれば、ハウジングの内部に圧縮ガスが封入されてなるガス発生器において、圧縮ガスが封入された領域に発熱剤を配置することで、ガス発生器自体の構成の簡素化と小型軽量化を図ることができる。
【図面の簡単な説明】
【００２４】
【図１】実施の形態１に係るハイブリッド型ガス発生器の模式断面図である。
【図２】図１に示す仕切り部および点火器組立体近傍の拡大図である。
【図３】図１に示すノズル組立体近傍の拡大図である。
【図４】実施の形態１に係るハイブリッド型ガス発生器への発熱剤塗布のフロー図である。
【図５】実施の形態１に係るハイブリッド型ガス発生器の作動フロー図である。
【図６】実施の形態２に係るハイブリッド型ガス発生器の模式断面図である。
【図７】実施の形態３に係るハイブリッド型ガス発生器の模式断面図である。
【図８】実施の形態３に係るストアード型ガス発生器の拡大図である。
【図９】実施の形態４に係るストアード型ガス発生器の模式断面図である。
【発明を実施するための形態】
【００２５】
以下、本発明の実施の形態について、図を参照して詳細に説明する。以下に示す実施の形態は、サイドエアバッグ装置に組み込まれるシリンダ型ガス発生器に本発明を適用した場合を例示するものである。なお、以下に示す実施の形態においては、同一のまたは共通する部分について図中同一の符号を付し、その説明は繰り返さない。
【００２６】
（実施の形態１）
図１は、実施の形態１に係るハイブリッド型ガス発生器の模式断面図である。図２は、図１に示すハイブリッド型ガス発生器の仕切り部および点火器組立体近傍の拡大図であり、図３は、ノズル組立体近傍の拡大図である。まず、これら図１ないし図３を参照して、本実施の形態に係るハイブリッド型ガス発生器１Ａの構成について説明する。なお、本実施の形態に係るハイブリッド型ガス発生器１Ａは、いわゆるブローダウン構造を有するものである。
【００２７】
図１に示すように、ハイブリッド型ガス発生器１Ａは、全体として長尺略円柱状の外形を有している。ハイブリッド型ガス発生器１Ａは、筒状部材としての円筒状部材１０と、点火器組立体２０と、ノズル組立体３０と、仕切り部４０と、発熱剤５０と、図には現れない圧縮ガスとを備えている。
【００２８】
ハイブリッド型ガス発生器１Ａのハウジングは、円筒状部材１０と、点火器組立体２０と、ノズル組立体３０と、仕切り部４０とによって主として構成されている。発熱剤５０および圧縮ガスは、これら円筒状部材１０、点火器組立体２０、ノズル組立体３０および仕切り部４０によって構成されたハウジングの内部に収容されている。
【００２９】
点火器組立体２０は、円筒状部材１０の軸方向の一方端側に位置する開口端を閉塞するように円筒状部材１０に組付けられており、ノズル組立体３０は、円筒状部材１０の軸方向の他方端側に位置する開口端を閉塞するように円筒状部材１０に組付けられている。一方、仕切り部４０は、円筒状部材１０の内部の空間を当該円筒状部材１０の軸方向において仕切るように円筒状部材１０の内部の所定位置に組付けられている。
【００３０】
これにより、ハウジングの内部の空間は、円筒状部材１０、点火器組立体２０および仕切り部４０によって規定された点火室Ｓ１と、円筒状部材１０、ノズル組立体３０および仕切り部４０によって規定されたタンク室Ｓ２とに区画されている。点火室Ｓ１には、第１発熱剤５０aが収容されており、タンク室Ｓ２には、圧縮ガスと第２発熱剤５０ｂが収容されている。
【００３１】
図１ないし図３に示すように、円筒状部材１０は、軸方向の一方端および他方端のみが開口した長尺円筒状の部材からなる。円筒状部材１０は、その周壁にガスを注入するためのガス注入口を有しておらず、当然にこれを封止する封止ピンも有していない。
【００３２】
円筒状部材１０は、圧力隔壁として機能するものであり、たとえばステンレス鋼や鉄鋼等の金属製の部材にて構成される。ここで、円筒状部材１０の一部は、長期間にわたって圧縮ガスと第１発熱剤５０aに晒されることになるため、耐腐食性に優れたものとなるように、クロムやマンガン、モリブデン、ニオブ、ニッケル等が添加された鋼材にて構成されていることが好ましい。
【００３３】
図１および図２に示すように、点火器組立体２０は、ホルダ２１と、点火器２２と、樹脂成形部２３とを有している。点火器組立体２０は、ホルダ２１と点火器２２とを樹脂成形部２３を用いて固定してなるものであり、予め一体化された部品として構成されている。点火器組立体２０は、上述したように円筒状部材１０の軸方向の一方端側に位置する開口端を閉塞するように当該円筒状部材１０に組付けられている。
【００３４】
図２に示すように、ホルダ２１は、外形が略円筒状の部材からなり、軸方向に沿って延びる貫通部２１ａを有している。貫通部２１ａは、点火器２２が収容されるとともに樹脂成形部２３が設けられる部位である。
【００３５】
ホルダ２１は、圧力隔壁として機能するものであり、たとえばステンレス鋼や鉄鋼等の金属製の部材にて構成される。
【００３６】
点火器２２は、火炎を発生させるためのものであり、一般にスクイブと称される火工品からなる。点火器２２は、点火部２２ａと、一対の端子ピン２２ｂとを有している。点火部２２ａは、その内部に、作動時において着火して燃焼することで火炎を発生する点火薬と、この点火薬を着火させるための抵抗体（ブリッジワイヤ）とを含んでいる。一対の端子ピン２２ｂは、点火薬を着火させるために点火部２２ａに接続されている。
【００３７】
より詳細には、点火部２２ａは、カップ状に形成されたスクイブカップと、当該スクイブカップの開口端を閉塞し、一対の端子ピン２２ｂが挿通されてこれを保持する塞栓とを含んでおり、スクイブカップ内に挿入された一対の端子ピン２２ｂの先端を連結するように上述した抵抗体が取付けられ、この抵抗体を取り囲むようにまたはこの抵抗体に近接するようにスクイブカップ内に点火薬が装填された構成を有している。
【００３８】
ここで、抵抗体としては一般にニクロム線等が利用され、点火薬としては一般にＺＰＰ（ジルコニウム・過塩素酸カリウム）、ＺＷＰＰ（ジルコニウム・タングステン・過塩素酸カリウム）、鉛トリシネート等が利用される。なお、上述したスクイブカップおよび塞栓は、一般に金属製またはプラスチック製である。
【００３９】
衝突を検知した際には、端子ピン２２ｂを介して抵抗体に所定量の電流が流れる。抵抗体に所定量の電流が流れることにより、抵抗体においてジュール熱が発生し、点火薬が燃焼を開始する。燃焼により生じた高温の火炎は、点火薬を収納しているスクイブカップを破裂させる。抵抗体に電流が流れてから点火器２２が作動するまでの時間は、抵抗体にニクロム線を利用した場合に一般に２［ｍｓ］以下である。
【００４０】
樹脂成形部２３は、射出成形（より特定的にはいわゆるインサート成形）によって形成された樹脂製の部位からなり、ホルダ２１および点火器２２の双方に固着している。この樹脂成形部２３は、射出成形時において型を用いることにより、ホルダ２１と点火器２２の間の空間を充填するようにこれらの間に流動性樹脂材料を流し込んでこれを固化させることで形成することができる。これにより、ホルダ２１の貫通部２１ａは、点火器２２と樹脂成形部２３とによって埋め込まれた状態となり、当該部分におけるシール性が樹脂成形部２３によって確保できることになる。
【００４１】
射出成形によって形成される樹脂成形部２３の原料としては、硬化後において耐熱性や耐久性、耐腐食性等に優れた樹脂材料が好適に選択されて使用される。その場合、エポキシ樹脂等に代表される熱硬化性樹脂に限られず、ポリブチレンテレフタレート樹脂、ポリエチレンテレフタレート樹脂、ポリアミド樹脂（たとえばナイロン６やナイロン６６等）、ポリプロピレンスルフィド樹脂、ポリプロピレンオキシド樹脂等に代表される熱可塑性樹脂を利用することも可能である。
【００４２】
樹脂成形部２３には、外部に向けて露出する凹部２３ａが設けられている。凹部２３ａの内部には、点火器２２の一対の端子ピン２２ｂが配置されている。これにより、上述した円筒状部材１０の一方端側の端面に、凹部２３ａおよび一対の端子ピン２２ｂからなる雌型コネクタ部が設けられている。
【００４３】
当該雌型コネクタ部は、点火器２２とコントロールユニット（不図示）とを結線するためのハーネスの雄型コネクタ（図示せず）を受け入れるための部位である。雌型コネクタ部は、ハウジングの外部に向けて露出しており、当該雌型コネクタ部に上述した雄型コネクタが挿し込まれることにより、ハーネスの芯線と端子ピン２２ｂとの電気的導通が実現されることになる。
【００４４】
なお、点火器２２のホルダ２１への固定方法は、上述した樹脂成形部２３を用いた固定方法に限られず、他の固定方法を利用してもよい。
【００４５】
点火器組立体２０は、当該点火器組立体２０が有するホルダ２１が円筒状部材１０の上述した一方端側の開口端に圧入されるとともに、ホルダ２１と円筒状部材１０との接触部またはその近傍においてこれらが接合されることで固定されている。ここで、ホルダ２１と円筒状部材１０との接合には、電子ビーム溶接やレーザ溶接、抵抗溶接、摩擦圧接等が好適に利用できる。
【００４６】
なお、点火器組立体２０の円筒状部材１０への固定方法は、上述した圧入および溶接を利用した固定方法に限られず、他の固定方法を利用してもよい。
【００４７】
図１および図３に示すように、ノズル組立体３０は、ノズル３１と、第２破裂板３２とを有している。ノズル組立体３０は、ノズル３１に第２破裂板３２を接合することで予め一体化された部品として構成されている。ノズル組立体３０は、上述したように円筒状部材１０の軸方向の他方端側に位置する開口端を閉塞するように当該円筒状部材１０に組付けられている。
【００４８】
図３に示すように、ノズル３１は、中央に貫通孔が設けられた略円盤状のベース部３１ａと、一端が閉塞された略円筒状のノズル部３１ｂとを有している。ノズル部３１ｂは、ベース部３１ａの中央から軸方向に沿って突設されており、これによりハウジングの外部に向けて延びるように位置している。
【００４９】
ノズル３１は、圧力隔壁として機能するものであり、たとえばステンレス鋼や鉄鋼等の金属製の部材にて構成される。ここで、ノズル３１の一部は、長期間にわたって圧縮ガスと第２発熱剤５０ｂに晒されることになるため、耐腐食性に優れたものとなるように、クロムやマンガン、モリブデン、ニオブ、ニッケル等が添加された鋼材にて構成されていることが好ましい。
【００５０】
ノズル３１は、その内部に中空状の流路部３１ｃを有している。当該流路部３１ｃは、ベース部３１ａに設けられた貫通孔と、ノズル部３１ｂに設けられた中空部とによって構成されており、これにより当該流路部３１ｃは、タンク室Ｓ２に向けて開口する開口部をその一端に有している。この流路部３１ｃのタンク室Ｓ２側に設けられた開口部は、第２破裂板３２によって閉鎖されている。
【００５１】
ノズル部３１ｂの周壁には、複数のガス噴出口３１ｄが設けられており、当該複数のガス噴出口３１ｄは、いずれも流路部３１ｃに連通している。当該複数のガス噴出口３１ｄは、ハイブリッド型ガス発生器１Ａの作動時において、ガスを外部に向けて噴出するための部位であり、流路部３１ｃを介して第２破裂板３２によって閉鎖されている。
【００５２】
第２破裂板３２は、薄板状の外形を有しており、上述したように流路部３１ｃのタンク室Ｓ２側に設けられた開口部を閉鎖するようにノズル３１のベース部３１ａに固定されている。第２破裂板３２は、点火器２２の作動および後述する第１破裂板４２の開裂に起因して開裂が可能なものであり、好適には金属製の部材にて構成される。
【００５３】
ここで、第２破裂板３２の一部は、長期間にわたって圧縮ガスと第２発熱剤５０ｂに晒されるものであるため、第２破裂板３２は、耐腐食性の観点からＳＵＳ３１６（ＪＩＳ規格記号）やインコネル（登録商標）等の薄肉の金属板から形成されたニッケル合金製の部材にて構成されていることが望ましい。たとえば、第２破裂板３２としては、耐熱性および耐腐食性を有する金属製の薄板（たとえば厚みが２００［μｍ］程度）が好適に用いられ、Ｎｉ：１０重量％、Ｃｒ：２３重量％、Ｍｎ：６重量％、Ｍｏ：２重量％、Ｃ：０．０１重量％、Ｎ：０．５重量％、その他、の成分割合からなるステンレス鋼やインコネル合金（インコネル６２５）からなる薄板が特に好適に用いられる。
【００５４】
第２破裂板３２は、たとえば電子ビーム溶接やレーザ溶接、抵抗溶接等によってノズル３１に接合されることで固定される。
【００５５】
ノズル組立体３０は、当該ノズル組立体３０が有するノズル３１のベース部３１ａが円筒状部材１０の上述した他方端側の開口端に圧入されるとともに、ノズル３１と円筒状部材１０との接触部またはその近傍においてこれらが接合されることで固定されている。ここで、ノズル３１と円筒状部材１０との接合には、電子ビーム溶接やレーザ溶接、抵抗溶接、摩擦圧接等が好適に利用できる。
【００５６】
なお、ノズル組立体３０の円筒状部材１０への固定方法は、上述した圧入および溶接を利用した固定方法に限られず、他の固定方法を利用してもよい。
【００５７】
図１および図２を参照して、仕切り部４０は、仕切り板４１と、第１破裂板４２とを有している。仕切り部４０は、上述したように円筒状部材１０の内部の空間を点火室Ｓ１とタンク室Ｓ２とに区画するように円筒状部材１０の内部の所定位置に組付けられている。
【００５８】
図２に示すように、仕切り板４１は、外形が円環板状の部材からなり、その中央部に軸方向に沿って貫通する連通孔４１ａが設けられている。当該連通孔４１ａは、点火室Ｓ１とタンク室Ｓ２とを連通させるための部位である。この連通孔４１ａの点火室Ｓ１側に位置する開口部は、第１破裂板４２によって閉鎖されている。
【００５９】
ここで、上述した連通孔４１ａは、ハイブリッド型ガス発生器１Ａの製造時において、タンク室Ｓ２にガスを注入するためのガス注入口としても機能する。なお、この点については、後において詳述することとする。
【００６０】
仕切り板４１は、圧力隔壁として機能するものであり、たとえばステンレス鋼や鉄鋼等の金属製の部材にて構成される。ここで、仕切り板４１は、長期間にわたって圧縮ガスと第１発熱剤５０aに晒されることになるため、耐腐食性に優れたものとなるように、クロムやマンガン、モリブデン、ニオブ、ニッケル等が添加された鋼材にて構成されていることが好ましい。
【００６１】
第１破裂板４２は、薄板状の外形を有しており、上述したように連通孔４１ａの点火室Ｓ１側に位置する開口部を閉鎖するように仕切り板４１に固定されている。第１破裂板４２は、点火器２２の作動による点火室Ｓ１の圧力上昇に起因して開裂が可能なものであり、好適には金属製の部材にて構成される。
【００６２】
ここで、第１破裂板４２の一部は、長期間にわたって圧縮ガスと第１発熱剤５０aに晒されるものであるため、第１破裂板４２は、耐腐食性の観点からＳＵＳ３１６（ＪＩＳ規格記号）やインコネル（登録商標）等の薄肉の金属板から形成されたニッケル合金製の部材にて構成されていることが望ましい。たとえば、第１破裂板４２としては、耐熱性および耐腐食性を有する金属製の薄板（たとえば厚みが２００［μｍ］程度）が好適に用いられ、Ｎｉ：１０重量％、Ｃｒ：２３重量％、Ｍｎ：６重量％、Ｍｏ：２重量％、Ｃ：０．０１重量％、Ｎ：０．５重量％、その他、の成分割合からなるステンレス鋼やインコネル合金（インコネル６２５）からなる薄板が特に好適に用いられる。
【００６３】
本実施の形態においては、後述するように、第１破裂板４２が抵抗溶接によって仕切り板４１に接合されることで固定される。ここで、第１破裂板４２は、仕切り板４１の厚み方向に位置する一対の主面のうちの点火室Ｓ１に面する方の主面に宛がわれて当該主面に溶接されている。なお、後において詳述するが、この仕切り板４１への第１破裂板４２の溶接は、仕切り板４１が円筒状部材１０に組付けられた後に行なわれる。
【００６４】
仕切り板４１は、円筒状部材１０の内部に圧入されるとともに、仕切り板４１と円筒状部材１０との接触部またはその近傍においてこれらが接合されることで固定されている。ここで、仕切り板４１と円筒状部材１０との接合には、電子ビーム溶接やレーザ溶接、抵抗溶接、摩擦圧接等が好適に利用できる。
【００６５】
なお、仕切り板４１の円筒状部材１０への固定方法は、上述した圧入および溶接を利用した固定方法に限られず、他の固定方法を利用してもよい。
【００６６】
図１および図２を参照して、上述したように、円筒状部材１０、点火器組立体２０および仕切り部４０によって規定された点火室Ｓ１には、第１発熱剤５０aが収容されている。
【００６７】
第１発熱剤５０aは、燃焼することによって高温の熱を発生させる薬剤からなる。第１発熱剤５０aは、ハイブリッド型ガス発生器１Ａの動作時において、第１破裂板４２および第２破裂板３２が開裂することにより、圧縮ガスが断熱膨張することで生じ得るエネルギーロスを補うための熱を当該圧縮ガスに供給するものであり、たとえばＢ／ＫＮＯ3、Ｂ／ＮａＮＯ3、Ｓｒ（ＮＯ3）2等に代表される金属粉／酸化剤からなる組成物やこれに硝酸グアニジンまたはニトログアニジンを加えた組成物、水素化チタン／過塩素酸カリウムからなる組成物、Ｂ／５−アミノテトラゾール／硝酸カリウムからなる組成物、Ｂ／５−アミノテトラゾール／硝酸カリウム／三酸化モリブデンからなる組成物、過塩素酸アンモニウム／過塩素酸カリウム／ニトログアニジンからなる組成物、Ｓｒ（ＮＯ3）2／ニトログアニジンからなる組成物等が用いられる。  
【００６８】
第１発熱剤５０aとしては、粉状のものや、バインダによって所定の形状に成形されたもの等が利用できる。バインダによって成形された第１発熱剤５０aの形状としては、たとえば顆粒状、円柱状、シート状、球状、単孔円筒状、多孔円筒状、タブレット状など種々の形状が挙げられる。
【００６９】
一方、図１ないし図３を参照して、上述したように、円筒状部材１０、ノズル組立体３０および仕切り部４０によって規定されたタンク室Ｓ２には、圧縮ガスと第２発熱剤５０ｂが収容されている。
【００７０】
圧縮ガスはタンク室Ｓ２に充填され、ハイブリッド型ガス発生器１Ａの動作時において、第２破裂板３２が開裂することにより、これが外部へと放出されることで当該ハイブリッド型ガス発生器１Ａに隣接して設けられたエアバッグを膨張および展開させるものである。圧縮ガスとしては、各種の不活性ガスが利用可能であり、たとえばヘリウムガス、アルゴンガス、ネオンガス、窒素ガス、炭酸ガス等を利用することができる。
【００７１】
第２発熱剤５０ｂは、タンク室Ｓ２に配置されている。より具合的には、第２発熱剤５０ｂは、円筒状部材１０の内側の空間であってかつ仕切り板４１とノズル３１の間の空間に配置されている。第２発熱剤５０ｂは、点火器２２が作動することによって生じた熱粒子によって着火され、燃焼することによってガスを発生させる薬剤からなる。
【００７２】
上述した第２発熱剤５０ｂとしては、非アジド系ガス発生剤を用いることが好ましく、一般に燃料と酸化剤と添加剤とを含む組成で形成される。
【００７３】
燃料としては、たとえばトリアゾール誘導体、テトラゾール誘導体、グアニジン誘導体、アゾジカルボンアミド誘導体、ヒドラジン誘導体等またはこれらの組み合わせが利用される。具体的には、たとえばニトログアニジンや硝酸グアニジン、シアノグアニジン、５−アミノテトラゾール等が好適に利用される。
【００７４】
酸化剤としては、たとえば塩基性硝酸銅や塩基性炭酸銅等の塩基性金属水酸化物、過塩素酸アンモニウム、過塩素酸カリウム等の過塩素酸塩、アルカリ金属、アルカリ土類金属、遷移金属、アンモニアから選ばれたカチオンを含む硝酸塩等が利用される。硝酸塩としては、たとえば硝酸ナトリウム、硝酸カリウム等が好適に利用される。
【００７５】
添加剤としては、バインダやスラグ形成剤、燃焼調整剤等が挙げられる。バインダとしては、たとえばポリビニルアルコール、カルボキシメチルセルロースの金属塩、ステアリン酸塩等の有機バインダや、合成ヒドロタルサイト、酸性白土等の無機バインダが好適に利用可能である。また、この他にも、バインダとしては、ヒドロキシエチルセルロース、ヒドロキシプロピルメチルセルロース、酢酸セルロース、プロピオン酸セルロース、酢酸酪酸セルロース、ニトロセルロース、微結晶性セルロース、グアガム、ポリビニルピロリドン、ポリアクリルアミド、デンプン等の多糖誘導体や、二硫化モリブデン、タルク、ベントナイト、ケイソウ土、カオリン、アルミナ等の無機バインダも好適に利用可能である。スラグ形成剤としては、窒化珪素、シリカ、酸性白土等が好適に利用可能である。燃焼調整剤としては、金属酸化物、フェロシリコン、活性炭、グラファイト等が好適に利用可能である。
【００７６】
図１を参照して、粘着テープ９０は、シート状成形体からなる基材９１と、基材９１の一方の主表面上に設けられた粘着剤層９２とを有しており、粘着剤層９２の粘着面がタンク室Ｓ２の周壁部６０に貼着されている。また、タンク室Ｓ２の周壁部６０に貼付された粘着テープ９０は、第２発熱剤５０ｂによって覆われている。
【００７７】
粘着テープ９０の基材９１は、繊維質または多孔質のシート状成形体にて構成されている。具体的には、基材９１としては、化学繊維、天然繊維、紙、樹脂発泡体およびゴム発泡体のいずれかまたはこれらの組み合わせからなるものが好適に利用でき、より好適には、アセテート繊維、クレープ紙、不織布等に代表されるセルロース系繊維の集合体や、ガラス繊維、ポリエチレン繊維等に代表される非セルロース系繊維の集合体、発泡ポリエチレン、発泡ポリプロピレン、発泡シリコーン等に代表される樹脂発泡体、ＥＰＤＭ発泡体、クロロプレン発泡体等に代表されるゴム発泡体などが利用できる。なお、樹脂発泡体およびゴム発泡体としては、独立気泡型のものであってもよいし、連続気泡型のものであってもよい。
【００７８】
一方、粘着テープ９０の粘着剤層９２としては、粘着性および弾性を有する材料からなるものであればどのようなものでもその利用が可能であり、特にゴム系材料からなるもの、シリコーン系材料からなるもの、アクリル系材料からなるもの等が好適に利用可能である。
【００７９】
ここで、上述したように、粘着テープ９０の基材９１として繊維質または多孔質のシート状成形体を利用した場合には、基材９１の表面に微小な凹凸９３が無数に存在することになり、さらに、粘着テープ９０の基材９１として繊維質または連続気泡型の多孔質のシート状成形体を利用した場合には、基材９１の表面に微小な凹凸９３が無数に存在するばかりでなく、当該凹凸９３と連続して基材９１の内部にまで繋がる微小な迷路状の通路が無数に存在することになり、第２発熱剤５０ｂの塗布時において上記微小な凹凸９３あるいはこれに加えて上記微小な迷路状の通路にまで第２発熱剤５０ｂが入り込んでそのまま第２発熱剤５０ｂが硬化することになる。そのため、基材９１と第２発熱剤５０ｂとの界面における密着性が飛躍的に向上することになり、これに伴ってこれら基材９１と第２発熱剤５０ｂとの間の固着力が大幅に高まって密着性が向上することになる。
【００８０】
また、塗布時における第２発熱剤５０ｂの注入圧により、タンク室内に充填された第２発熱剤５０ｂによって基材９１を介して粘着剤層９２が周壁部６０に向けて押し付けられることにもなり、その状態のまま第２発熱剤５０ｂが硬化することにより、粘着剤層９２の全体が、周壁部６０に向けて押し付けられることで圧縮変形した圧縮変形領域を有することにもなる。したがって、粘着剤層９２が周壁部６０に向けて押し付けられた状態が維持されることになり、当該粘着剤層９２と周壁部６０との界面における密着力も大幅に高まって密着性が向上することになる。
【００８１】
したがって、上記構成を採用することにより、粘着テープ９０が設けられた部分において周壁部６０と第２発熱剤５０ｂとの間の高い密着性が確保できることになり、周壁部６０と第２発熱剤５０ｂとの間に何ら部材を介在させずに、第２発熱剤５０ｂを周壁部６０へ塗布によって固定した場合に比べ、飛躍的に信頼性が向上することになる。
【００８２】
第２発熱剤５０ｂの成形体の形状は、顆粒状、ペレット状、円柱状等の粒状のもの、ディスク状のものなど様々な形状のものがある。また、円柱状のものでは、成形体内部に貫通孔を有する有孔状（たとえば単孔筒形状や多孔筒形状等）の成形体も利用される。これらの形状は、ディスク型ガス発生器１Ａが組み込まれるエアバッグ装置の仕様に応じて適宜選択されることが好ましく、たとえばガス発生剤の燃焼時においてガスの生成速度が時間的に変化する形状を選択するなど、仕様に応じた最適な形状を選択することが好ましい。また、ガス発生剤の形状の他にもガス発生剤の線燃焼速度、圧力指数などを考慮に入れて成形体のサイズや充填量を適宜選択することが好ましい。
【００８３】
ここで、第１発熱剤５０aおよび第２発熱剤５０ｂは、それらの組成が同じものであってもよいし、それらの組成が異なるものであってもよい。また、第１発熱剤５０aおよび第２発熱剤５０ｂは、それらの形状や大きさが同じものであってもよいし、それらの形状や大きさが異なるものであってもよい。
【００８４】
第２発熱剤５０ｂの発火温度は通常１５０〜５００℃である。ここで、１５０〜３００℃であることが好ましく、１５０〜２５０℃であることがより好ましい。第２発熱剤５０ｂとしては、発火温度が低いものを使用することが好適である。これは、第１発熱剤５０aによって生じた火炎によって容易に第２発熱剤５０ｂを燃焼させることで、円滑にガスが発生し、エアバッグを膨張・展開させることが可能となるためである。このように発火温度が低くなる組成を選択することが好適である。例えば、Ｂ／５−アミノテトラゾール／硝酸カリウム／三酸化モリブデンからなる組成物は発火温度が２００℃近辺である。
【００８５】
図１におけるハイブリッド型ガス発生器への第２発熱剤５０ｂの配置態様としては、第２発熱剤５０ｂはスラリー状の薬剤を塗布して乾燥した形態や、第２発熱剤５０ｂを成形体にして粘着剤で固着させた形態等が挙げられる。
【００８６】
スラリー状の薬剤を塗布するために使用する、スラリー状の薬剤について説明する。スラリー状の薬剤は、前記の通り、燃料、酸化剤及び添加剤等を含む組成で形成された薬剤に、好適には溶剤を混合して得ることができる。溶剤としては、例えば、酢酸エチル、酢酸イソアミル、酢酸イソブチル等の酢酸エステル類、またはアセトンが例示できる。また、その添加量は塗布または噴霧に好適なスラリー状になるように適宜選択すればよい。さらに、第２発熱剤５０ｂの組成物のスラリーを塗り重ねすることで、第２発熱剤５０ｂの塗布厚を増すこともできる。
【００８７】
スラリー状の第２発熱剤５０ｂは、後述する塗布方法によって吹き付け、真空引き等の手法により溶媒を除去することで、ハイブリッド型ガス発生器への第２発熱剤５０ｂを設けることができる。このように、スラリー状の第２ガス発熱剤５０ｂをハイブリッド型ガス発生器へ配置すると、粒状の第２発熱剤５０ｂを充填した場合等と比較して、第２発熱剤５０ｂ同士の間の空隙が少なく密の状態で第２発熱剤５０ｂを配置することが可能となる。そのため、充填密度が向上することから、ハイブリッド型ガス発生器を小型化することが可能となる。また、このような配置をすることで、運転時等でハイブリッド型ガス発生器が振動した際の衝撃で破砕が生じることを有効に防止することが可能となる。
【００８８】
第２発熱剤５０ｂを、成形体にして、粘着剤で固着させる形態について説明する。まず、粘着剤をハイブリッド型ガス発生器へ後述する塗布方法等を使用して塗布する。そして、必要に応じて粘着剤を乾燥させて、粘着性を保持している粘着剤層をハイブリッド型ガス発生器のタンク室Ｓ２に設ける。このときの粘着剤層の膜厚としては、１０μｍ以上であることが好ましく、１００μｍ以上であることがより好ましい。また、膜厚の上限は特に限定されるものではないが、２０００μｍ以下であることが好ましく、１０００μｍ以下であることがより好ましい。その後、第２発熱剤５０ｂを粘着剤上に配置する。第２発熱剤５０ｂは、例えば、後述する塗布方法等によって、粘着剤上に配置される。ここで、適宜後述する真空引き等を行うこともできる。このようにすることで、粘着剤層上に第２発熱剤５０ｂが層状に形成される。
【００８９】
粘着剤層上に第２ガス発熱剤５０ｂをハイブリッド型ガス発生器へ配置した場合においても、粒状の第２発熱剤５０ｂを充填した場合等と比較して、第２発熱剤５０ｂ同士の間の空隙が少なく密の状態で第２発熱剤を配置することが可能となる。そのため、充填密度が向上することから、ハイブリッド型ガス発生器を小型化することが可能となる。また、このような配置をすることで、運転時等でハイブリッド型ガス発生器が振動した際の衝撃で破砕が生じることを有効に防止することが可能となる。
【００９０】
以下、本実施の形態に係るハイブリッド型ガス発生器への発熱剤塗布の方法を具体的に説明しつつ、上記の点についてより詳細に説明する。図４Ａ、図４Ｂは、本実施の形態に係るハイブリッド型ガス発生器への発熱剤塗布方法を示すフロー図である。
【００９１】
図４に示すように、本実施の形態に係るハイブリッド型ガス発生器１Ａへ第２発熱剤５０ｂを塗布するに際しては、まず、円筒状部材１０にノズル組立体３０および仕切り板４１がそれぞれ組付けられている。円筒状部材１０の軸方向の上述した他方端側に位置する開口端に対して、ノズル組立体３０のノズル３１のベース部３１ａが内挿されることで圧入され、その後、ノズル３１が円筒状部材１０にたとえばレーザ溶接等によって溶接されることにより、ノズル組立体３０が円筒状部材１０に組付けられる。また、円筒状部材１０の軸方向の上述した一方端側に位置する開口端から仕切り板４１が当該一方端を越えて円筒状部材１０の内部に入り込むように内挿されることで圧入され、その後、仕切り板４１が円筒状部材１０にたとえばレーザ溶接等によって溶接されることにより、仕切り板４１が円筒状部材１０に組付けられる。
【００９２】
図４Ａに示すように、発熱剤塗布装置（図示しない）は、第２発熱剤５０ｂの注入と吸入とを組み合わせた構成である。まず、発熱剤塗布装置（図示しない）に対する円筒状部材１０の位置決めが行なわれ、発熱剤塗布装置（図示しない）から管１１０が充填前のタンク室Ｓ２へ挿入され、管１１０の先端部１２０または外周面１３０から第２発熱剤５０ｂがタンク室Ｓ２へ注入または噴霧される。その後、タンク室Ｓ２の周面へ第２発熱剤５０ｂが付着するまで、所定の時間経過後、管１１０の先端部１２０または外周面１３０から吸入する。図４Ｂに示すように、発熱剤はタンク室Ｓ２に塗布される。この方法により、第２発熱剤５０ｂの塗布量と塗布領域を制御することができる。
【００９３】
第２発熱剤５０ｂをタンク室Ｓ２へ塗布する方法としては、バルク塗布のローラーブラシ、浸漬、ローラーコーター、はけ塗り、カーテンフローコーター等やスプレー塗布のエアスプレー、エアレススプレー等や紛体塗布の静電、電着、紛体等の汎用的な手法が用いられる。好ましくはエアスプレーによる噴霧や浸漬による付着した部位を塗布する方法がある。
【００９４】
タンク室Ｓ２は真空引きが行なわれる。この真空引きは、圧縮ガス封入装置（図示しない）が用いられることで行なわれる。当該真空引きは、タンク室Ｓ２の圧力が所定の真空度に達するまで実施される。その後、ガス充填が行なわれる。このガス充填は、圧縮ガス封入装置（図示しない）が引き続き用いられることで行なわれる。連通孔４１ａを介して連通するタンク室Ｓ２内にガスが送り込まれ、送り込まれたガスが圧縮されることにより、タンク室Ｓ２が圧縮ガスにて満たされる。当該ガス充填は、タンク室Ｓ２の圧力が所定の高圧状態（たとえば、５ＭＰａ〜１００ＭＰａ程度、好適には４０ＭＰａ〜１００ＭＰａ、より好適には７０ＭＰａ〜１００ＭＰａ）になるまで実施される。
【００９５】
本発明においては、周壁部６０に第２発熱剤５０ｂが配置されていることから、第２発熱剤５０ｂの使用量を調整することが容易である。さらに圧縮ガスの充填でタンク室Ｓ２を高圧状態にしてもバーストする恐れを抑えられる。そのため、第２発熱剤５０ｂの配置量を抑え、圧縮ガスを高圧になるように充填しても、バーストするおそれはない。
【００９６】
以上において説明した本実施の形態に係るハイブリッド型ガス発生器の構造においては、圧縮ガスをタンク室Ｓ２に封入する前に、第２発熱剤５０ｂをタンク室Ｓ２に配置し、仕切り板４１に設けられた連通孔４１ａがガス注入口として利用されるとともに、圧縮ガスの注入後において当該連通孔４１ａが第１破裂板４２によって閉鎖されることとしている。そのため、当該構造を採用することにより、または、上述した本実施の形態に係るハイブリッド型ガス発生器１Ａとすることにより、ガス発生器自体の構成の簡素化と小型軽量を図ることができる。本実施の形態に関わるハイブリッド型ガス発生器は、第２発熱剤５０ｂを、ハウジングの筒状部材の周壁面に塗布する方法により配置する方法を説明したが、配置する場所及び配置方法はこの方法に限られるものではない。例えば、第２発熱剤配置する場所は、ハウジングの円筒状部材１０上以外にも、前記第１破裂板４２又は前記第２破裂板上に配置されていても良い。また、配置方法は、必ずしも塗布されていることを要するものでなく、配置されていれば、配置の方法は問わない。具体的には、塗布以外にも、ハウジングの筒状部材１０の周壁部、第１破裂板４２又は第２破裂板３２に隣接させて公知の形状の第２発熱剤５０ｂを圧入して配置、又は積層して配置しても構わない。
【００９７】
次に、上述した構成を有する本実施の形態に係るハイブリッド型ガス発生器１Ａの動作について、図５を参照しつつ説明する。
【００９８】
まず、図５Ａに示すように、上述したコントロールユニットからの通電を受けることにより、点火器２２が作動する。点火器２２が作動することにより、点火部２２ａに充填された点火薬が抵抗体によって加熱されることで着火され、当該点火薬が燃焼することで点火部２２ａが破裂する。これにより、点火室Ｓ１に収容された第１発熱剤５０aが点火器２２によって着火されて燃焼する。
【００９９】
次に、図５Ｂに示すように、この点火薬および第１発熱剤５０aの燃焼によって点火室Ｓ１の圧力および温度が上昇することになり、これに伴って第１破裂板４２のうちの連通孔４１ａに面する部分に開裂が生じる。この第１破裂板４２の開裂に伴い、点火室Ｓ１とタンク室Ｓ２とが連通孔４１ａを介して連通した状態となる。
【０１００】
次に、図５Ｃに示すように、点火室Ｓ１とタンク室Ｓ２とが連通孔４１ａを介して連通したことに伴い、第１発熱剤５０aの火炎がタンク室Ｓ２へ流入し、タンク室Ｓ２に配置された第２発熱剤５０ｂが着火する。ここで、第２発熱剤５０ｂはタンク室Ｓ２において、ハウジングの内周面に配置されていることから、圧縮ガスを取り囲むように燃焼が生じる。そのため、圧縮ガスが円滑に加熱されることで膨張することとなる。タンク室Ｓ２の圧力および温度は上昇することになり、これに伴って第２破裂板３２のうちの流路部３１ｃに面する部分に開裂が生じる。この第２破裂板３２の開裂に伴い、タンク室Ｓ２と複数のガス噴出口３１ｄとが流路部３１ｃを介して連通した状態となる。
【０１０１】
これにより、図５Ｄに示すように、タンク室Ｓ２に収容されていた圧縮ガスと第２発熱剤５０ｂの燃焼ガスが、流路部３１ｃを介して複数のガス噴出口３１ｄへと至り、その後、当該複数のガス噴出口３１ｄから外部に向けて噴出することになる。
【０１０２】
なお、複数のガス噴出口３１ｄからハイブリッド型ガス発生器１Ａの外部へと噴出されたガスは、当該ハイブリッド型ガス発生器１Ａに隣接して設けられたエアバッグの内部に導入され、当該エアバッグを膨張および展開させる。
【０１０３】
以上において説明した本実施の形態に係るハイブリッド型ガス発生器１Ａにあっては、圧縮ガスが封入されたタンク室Ｓ２を規定する部分のハウジングの壁部のうち、円筒状部材１０の周壁に該当する部分に開口が設けられておらず、また、仕切り板４１に設けられた連通孔４１ａを閉鎖するように当該仕切り板４１に設けられた第１破裂板４２が、円筒状部材１０の上述した一方端（すなわち、点火器組立体２０が組付けられた方の開口端）側に位置する部分の仕切り板４１の主面に溶接されている。所定の圧力または熱量を受けることで開裂する。上記タンク室は圧縮ガスで封入されており、ガス及び熱を放出する発熱剤が配置され、上記タンク室は充填圧が５ＭＰａ以上、好適には４０ＭＰａ以上、より好適には７０ＭＰａ以上で構成されている。
【０１０４】
このような特徴的な構成は、本実施の形態に係るハイブリッド型ガス発生器１Ａが、以下において説明する本実施の形態に係るハイブリッド型ガス発生器の構造に起因するものであり、要約すれば、第２発熱剤５０ｂをタンク室Ｓ２に配置し、圧縮ガスで封入することで、タンク室Ｓ２の空間を有効利用することになる。
【０１０５】
（実施の形態２）
【０１０６】
図６は、実施の形態２に係るハイブリット型ガス発生器の概略図である。以下、この図６を参照して、本変形例について説明する。
【０１０７】
図６に示すように、本実施におけるハイブリッド型ガス発生器１Ｂは、上述した実施の形態１と近似の構成を有する一方、ハウジングの円筒状部材１０の周壁部６０に注入孔６１が存在し、注入孔６１にピン１１が差し込まれている点において、上述した実施の形態１とその構成が相違している。
【０１０８】
本実施の形態におけるハイブリット型ガス発生器１Ｂは、第１の実施形態と同じく、タンク室Ｓ２内に、アルゴン、ヘリウムなどのガスが高圧で充填されている。一方、本実施の形態においては、図６に示すように、圧縮ガスは円筒状部材１０の周壁部６０の注入孔６１にピン１１を差し込んだ状態で、孔とピン１１の隙間から充填した後、周壁部６０とピン１１を一緒に溶接することで封入されている。
【０１０９】
本実施の形態においては、ハイブリッド型ガス発生器１Ｂへ発熱剤を塗布するに際しては、まず、円筒状部材１０にノズル組立体３０および仕切り板４１がそれぞれ組付けられている。円筒状部材１０の軸方向の上述した他方端側に位置する開口端に対して、ノズル組立体３０のノズル３１のベース部３１ａが内挿されることで圧入され、その後、ノズル３１が円筒状部材１０にたとえばレーザ溶接等によって溶接されることにより、ノズル組立体３０が円筒状部材１０に組付けられる。また、円筒状部材１０の軸方向の上述した一方端側に位置する開口端から仕切り板４１が当該一方端を越えて円筒状部材１０の内部に入り込むように内挿されることで圧入され、その後、仕切り板４１が円筒状部材１０にたとえばレーザ溶接等によって溶接されることにより、仕切り板４１が円筒状部材１０に組付けられる。
【０１１０】
発熱剤塗布装置（図示しない）は、第２発熱剤５０ｂの注入と吸入とを組み合わせた構成である。まず、発熱剤塗布装置（図示しない）に対する円筒状部材１０の位置決めが行なわれ、発熱剤塗布装置（図示しない）から管１１０が充填前のタンク室Ｓ２へ挿入され、管１１０の先端部１２０または外周面１３０から第２発熱剤５０ｂが注入または噴霧される。その後、タンク室Ｓ２の周面へ第２発熱剤５０ｂが付着するまで、所定の時間経過後、管１１０の先端部１２０または外周面１３０から吸入する。発熱剤はタンク室Ｓ２に塗布される。この方法により、第２発熱剤５０ｂの塗布量と塗布領域を制御することができる。
【０１１１】
第２発熱剤５０ｂをタンク室Ｓ２へ塗布する方法としては、バルク塗布のローラーブラシ、浸漬、ローラーコーター、はけ塗り、カーテンフローコーター等やスプレー塗布のエアスプレー、エアレススプレー等や紛体塗布の静電、電着、紛体等の汎用的な手法が用いられる。好ましくはエアスプレーによる噴霧や浸漬による付着した部位を塗布する方法がある。
【０１１２】
タンク室Ｓ２は真空引きが行なわれる。この真空引きは、圧縮ガス封入装置（図示しない）が用いられることで行なわれる。当該真空引きは、タンク室Ｓ２の圧力が所定の真空度に達するまで実施される。その後、ガス充填が行なわれる。このガス充填は、圧縮ガス封入装置（図示しない）が引き続き用いられることで行なわれる。連通孔４１ａを介して連通するタンク室Ｓ２内にガスが送り込まれ、送り込まれたガスが圧縮されることにより、タンク室Ｓ２が圧縮ガスにて満たされる。当該ガス充填は、タンク室Ｓ２の圧力が所定の高圧状態（たとえば、５［ＭＰａ］〜１００［ＭＰａ］程度、好適には４０〜１００ＭＰａ、より好適には７０〜１００ＭＰａ）になるまで実施される。
本発明においては、周壁部６０に第２発熱剤５０ｂが配置されていることから、第２発熱剤５０ｂの使用量を調整することが容易である。さらに圧縮ガスの充填でタンク室Ｓ２を高圧状態にしてもバーストするおそれを抑えられる。そのため、第２発熱剤５０ｂの使用量を抑え、圧縮ガスを高圧になるように充填しても、バーストするおそれはない。
【０１１３】
そして、本実施の形態に係るハイブリッド型ガス発生器においては、圧縮ガスをタンク室Ｓ２に封入する際に、予めハウジングの円筒状部１０に設けられた注入孔６１がガス注入口として利用され、圧縮ガスの注入後において当該注入孔６１がピン１１によって閉鎖され、ハイブリッド型ガス発生器が得られる。
【０１１４】
（実施の形態３）
図７は実施の形態３に係るハイブリット型ガス発生器の模式断面図である。図８は実施の形態３に係るハイブリット型ガス発生器の拡大図である。この図７及び図８を参照して、本変形例について説明する。
【０１１５】
図７と図８に示すように、本実施におけるハイブリッド型ガス発生器１Ｃは、上述した実施の形態１と近似の構成を有する一方、ハウジングの円筒状部材１０の周壁部６０に凹凸形状９３が存在している点において、上述した実施の形態１とその構成が相違している。図８に示すように、タンク室Ｓ２の円筒状部材１０の周壁部６０は凹凸形状９３加工が施されている。凹凸形状９３はバレル加工やショットブラスト加工、ねじ切り加工等により設けることができ、凹凸形状９３を設けることで、第２発熱剤５０ｂと円筒状部材１０の周面との接触面積が増大する。このように形成することで、第２発熱剤５０ｂと円筒状部材１０の周壁部６０との界面の密着性は増大する。さらに、凹凸形状９３に第２発熱剤５０ｂが侵入することで、塗布量を向上させることができる。
【０１１６】
内筒状部材１０の凹凸形状９３上に第２発熱剤５０ｂを形成する方法としては、前述と同様に、例えば、スラリー状の第２発熱剤５０ｂを塗布スラリー状の第２発熱剤５０ｂを、前述した塗布方法によって吹き付けて、前述の真空引き等の手法により、溶媒を除去することで、ハイブリッド型ガス発生器への第２発熱剤を設けることができる。又、前述と同様に粘着剤を用いて形成することもできる。具体的には、粘着剤をハイブリッド型ガス発生器へ塗布する方法を用いる。そして、必要に応じて粘着剤を乾燥させて、粘着性を保持している粘着剤層をタンク室Ｓ２に設ける。その後、第２発熱剤５０ｂを粘着剤上に配置する。第２発熱剤５０ｂは、例えば、前述する塗布方法等によって、粘着剤上に配置される。ここで、適宜前述する真空引き等を行うこともできる。このようにすることで、粘着剤層上に第２発熱剤５０ｂが層状に形成される。  
【０１１７】
（実施の形態４）
図９は、実施の形態４に係るストアード型ガス発生器の模式断面図である。まず、この図９を参照して、本実施の形態に係るストアード型ガス発生器１Ｄの構成について説明する。なお、本実施の形態に係るストアード型ガス発生器１Ｄは、いわゆるリバースフロー構造を有するものである。
【０１１８】
図９に示すように、本実施の形態に係るストアード型ガス発生器１Ｂは、上述した実施の形態１に係るハイブリッド型ガス発生器１Ａと近似の構成を有しており、当該ハイブリッド型ガス発生器１Ａと比較した場合に、主としてタンク室Ｓ２を規定する部分のハウジングの構成が相違しており、またこれに加えて、ノズル組立体３０および第１発熱剤５０a（いずれも図１等参照）を具備していない点、複数のガス噴出口の形成位置や複数のガス噴出口近傍の構成、単一の破裂板４２のみを備えている点等においてその構成が相違している。
【０１１９】
具体的には、ストアード型ガス発生器１Ｄにおいては、円筒状部材１０が、軸方向の一方端を開口端として有するとともに軸方向の他方端を閉塞端として有する長尺有底円筒状の部材にて構成されており、その軸方向の上述した一方端側の開口端に点火器組立体２０が組付けられている。また、円筒状部材１０の内部の空間の所定位置には、仕切り部４０が組付けられており、これにより円筒状部材１０の内部の空間が、点火室Ｓ１とタンク室Ｓ２とに区画されている。
【０１２０】
点火室Ｓ１を規定する部分の円筒状部材１０には、複数のガス噴出口１０ａが設けられている。当該複数のガス噴出口１０ａは、ストアード型ガス発生器１Ｄの作動時において、ガスを外部に向けて噴出するための部位である。
【０１２１】
また、点火室Ｓ１を規定する部分の円筒状部材１０の内周面には、複数のガス噴出口１０ａを閉鎖するように金属製のシールテープ１０ｂが貼付されている。このシールテープ１０ｂとしては、片面に粘着部材が塗布されたアルミニウム箔等が好適に利用でき、当該シールテープ１０ｂによって点火室Ｓ１の気密性が確保されている。
【０１２２】
ここで、本実施の形態に係るストアード型ガス発生器１Ｂにおいても、仕切り板４１に設けられた連通孔４１ａの点火室Ｓ１側に位置する開口部が、破裂板４２によって閉鎖されている。すなわち、破裂板４２は、仕切り板４１の厚み方向に位置する一対の主面のうちの点火室Ｓ１に面する方の主面に宛がわれて当該主面に溶接されている。
【０１２３】
タンク室Ｓ２の円筒状部材１０の周面には第２発熱剤５０ｂが塗布され、点火薬の燃焼により、第２発熱剤５０ｂは着火し、ガスまたは熱を放出する。ここで、第２発熱剤５０ｂの成分、性状、塗布方法、円筒状部材１０の形状等は前述のものを適用することができる。
【０１２４】
次に、上述した構成を有する本実施の形態に係るストアード型ガス発生器１Ｄの動作について、引き続き図９を参照して説明する。
【０１２５】
まず、上述したコントロールユニットからの通電を受けることにより、点火器２２が作動する。点火器２２が作動することにより、点火部２２ａに充填された点火薬が抵抗体によって加熱されることで着火され、当該点火薬が燃焼することで点火部２２ａが破裂する。
【０１２６】
この点火薬の燃焼によって点火室Ｓ１の圧力および温度が上昇することになり、これに伴って破裂板４２のうちの連通孔４１ａに面する部分に開裂が生じる。この破裂板４２の開裂に伴い、点火室Ｓ１とタンク室Ｓ２とが連通孔４１ａを介して連通した状態となる。
【０１２７】
次に、点火室Ｓ１とタンク室Ｓ２とが連通孔４１ａを介して連通したことに伴い、燃焼ガスがタンク室Ｓ２に流入する。燃焼ガスの熱により、第２発熱剤５０ｂは着火され、ガスまたは熱を放出し、さらに、圧縮ガスが連通孔４１ａを介して点火室Ｓ１に流れ込む。そして、シールテープ１０ｂを開裂させ、複数のガス噴出口１０ａが開口する。その後複数のガス噴出口１０ａから外部に向けて噴出することになる。
【０１２８】
なお、複数のガス噴出口１０ａからストアード型ガス発生器１Ｄの外部へと噴出されたガスは、当該ストアード型ガス発生器１Ｄに隣接して設けられたエアバッグの内部に導入され、当該エアバッグを膨張および展開させる。
【０１２９】
以上において説明した本実施の形態に係るストアード型ガス発生器１Ｄにあっても、圧縮ガスが封入されたタンク室Ｓ２を規定する部分のハウジングの壁部のうち、円筒状部材１０の周壁に該当する部分に開口が設けられておらず、また、仕切り板４１に設けられた連通孔４１ａを閉鎖するように当該仕切り板４１に設けられた破裂板４２が、円筒状部材１０の上述した一方端（すなわち、点火器組立体２０が組付けられた方の開口端）側に位置する部分の仕切り板４１の主面に溶接され、所定の圧力または熱量を受けることによって開裂し、タンク室の内部の圧縮ガスが封入された空間に発熱剤を備えている。
【０１３０】
このような特徴的な構成は、上述した実施の形態１に係るハイブリッド型ガス発生器の構造に準じており、従ってストアード型ガス発生器も同様の構造を実現できるものである。したがって、本実施の形態に係るストアード型ガス発生器１Ｂとした場合にも、ガス発生器自体の構成の簡素化と組立作業の容易化とが実現できることになる。
【０１３１】
（その他の形態等）
また、上述した本発明の実施の形態１，２およびそれらの変形例においては、本発明をサイドエアバッグ装置に組み込まれるシリンダ型ガス発生器に適用した場合を例示して説明を行なったが、本発明の適用対象はこれに限られるものではなく、カーテンエアバッグ装置やニーエアバッグ装置、シートクッションエアバッグ装置等に組み込まれるシリンダ型ガス発生器や、シリンダ型ガス発生器と同様に長尺状の外形を有するいわゆるＴ字型ガス発生器等にもその適用が可能である。
【０１３２】
このように、今回開示した上記実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１３３】
１Ａ〜１Ｃ  ハイブリッド型ガス発生器、１Ｄ  ストアード型ガス発生器、１０  円筒状部材、１０ａ  ガス噴出口、１０ｂ  シールテープ、１１  ピン、２０  点火器組立体、２１  ホルダ、２１ａ  貫通部、２２  点火器、２２ａ  点火部、２２ｂ  端子ピン、２３  樹脂成形部、２３ａ  凹部、３０  ノズル組立体、３１  ノズル、３１ａ  ベース部、３１ｂ  ノズル部、３１ｃ  流路部、３１ｄ  ガス噴出口、３２  第２破裂板、４０  仕切り部、４１  仕切り板、４１ａ  連通孔（ガス注入口）、４２  第１破裂板（破裂板）、５０  発熱剤、５０a  第１発熱剤、５０ｂ  第２発熱剤、６０  周壁部、６１  注入孔、９０  粘着テープ、９１  基材  、９２  粘着剤層、９３  凹凸形状、１１０  管、１２０  管先端部、１３０  外周面、Ｓ１  点火室、Ｓ２  タンク室。
【図１】
2020203498.tif 000003
【図２】
2020203498.tif 000004
【図３】
2020203498.tif 000005
【図４】
2020203498.tif 000006
【図５】
2020203498.tif 000007
【図６】
2020203498.tif 000008
【図７】
2020203498.tif 000009
【図８】
2020203498.tif 000010
【図９】
2020203498.tif 000011